(57)【要約】      （修正有）【課題】ユーザーがレンズが装着されたレンズフレームを自身で簡単に取り替えて使用することができるレンズ交換式眼鏡を提供する。【解決手段】レンズ１３が装着されたレンズフレーム２と、同レンズフレームを着脱可能に支持する支持フレーム３とアーム４を有する本体フレームとを有するレンズ交換式眼鏡において、レンズフレーム上部位置には上方に突出する突起部１４を形成するとともに、本体フレームの下部位置には凹部を有する取り付け部５を形成し、突起部を凹部に嵌挿してレンズフレームを本体フレームに吊り下げ支持するようにした。【選択図】図９
0003216991.tif 000002
【実用新案登録請求の範囲】
【請求項１】
レンズが装着されたレンズフレームと、同レンズフレームを着脱可能に支持する本体フレームとを有するレンズ交換式眼鏡において、
前記レンズフレーム上部位置には上方に突出する突起部が形成されるとともに、前記本体フレームの下部位置には凹部が形成されており、前記突起部を前記凹部に嵌挿して前記レンズフレームを前記本体フレームに吊り下げ支持することを特徴とするレンズ交換式眼鏡。
【請求項２】
前記レンズフレームはプラスチック成形品であることを特徴とする請求項１に記載のレンズ交換式眼鏡。
【請求項３】
前記本体フレームは、左右方向に伸びる支持フレームと、前記支持フレームの両端にヒンジ部材によって支持されるアーム部とを備え、前記凹部は前記支持フレームの中央下部位置に形成されていることを特徴とする請求項１又は２に記載のレンズ交換式眼鏡。
【請求項４】
前記支持フレームはプラスチック成形品であることを特徴とする請求項３に記載のレンズ交換式眼鏡。
【請求項５】
前記レンズフレームは左右のレンズがそれぞれ収容されるレンズ包囲部を中央のブリッジ部が接続する形状とされ、前記突起部は前記ブリッジ部の上部位置に形成されていることを特徴とする請求項１〜４のいずれかに記載のレンズ交換式眼鏡。
【請求項６】
前記突起部は前記レンズ包囲部の上端を結ぶ線分上から上方には突出しないことを特徴とする請求項５に記載のレンズ交換式眼鏡。
【請求項７】
前記突起部は前後に配置された２列の板体から構成されており、前記凹部への嵌挿動作において前記２列の板体は前記凹部の内側壁面に接して互いに接近する方向に撓むことを特徴とする請求項５又は６に記載のレンズ交換式眼鏡。
【請求項８】
前記凹部は前記支持フレームの長手方向に沿った溝状に形成されていることを特徴とする請求項１〜７のいずれかに記載のレンズ交換式眼鏡。
【請求項９】
前記凹部の左右位置には前記凹部と接続された補助溝が形成されていることを特徴とする請求項８に記載のレンズ交換式眼鏡。
【請求項１０】
前記突起部は前記凹部に嵌挿された際に、前記突起部の外側面と前記凹部の内側面のいずれか一方に形成された凸部と、いずれか他方に形成された小凹部とが嵌合されてロックされることを特徴とする請求項１〜９のいずれかに記載のレンズ交換式眼鏡。
【請求項１１】
前記レンズフレームに装着されるレンズはルーペ用レンズであることを特徴とする請求項１〜１０のいずれかに記載のレンズ交換式眼鏡。
【考案の詳細な説明】
【技術分野】
【０００１】
本考案は、ユーザーがレンズが装着されたレンズフレームを自身で自由に取り替えて使用することができるレンズ交換式眼鏡に関するものである。
【背景技術】
【０００２】
従来からレンズ交換式眼鏡が提供されている。そのようなレンズ交換式眼鏡の一例を特許文献１として示す
【先行技術文献】
【特許文献】
【０００３】
【特許文献１】特開昭５９−６２８２３号公報
【考案の開示】
【考案が解決しようとする課題】
【０００４】
しかし、特許文献１のレンズ交換式眼鏡はレンズの取り替えが手間であり、ユーザーが取り替え時にレンズを触りやすいため、レンズが汚れやすくなってしまう。
本考案はそのようなユーザーの要請に答えたものであって、ユーザーがレンズが装着されたレンズフレームを自身で簡単に取り替えて使用することができるレンズ交換式眼鏡を提供することにある。
【課題を解決するための手段】
【０００５】
上記の目的を達成するための第１の手段として、レンズが装着されたレンズフレームと、同レンズフレームを着脱可能に支持する本体フレームとを有するレンズ交換式眼鏡において、前記レンズフレーム上部位置には上方に突出する突起部が形成されるとともに、前記本体フレームの下部位置には凹部が形成されており、前記突起部を前記凹部に嵌挿して前記レンズフレームを前記本体フレームに吊り下げ支持するようにした。
第２の手段では、前記レンズフレームがプラスチック成形品であるようにした。
第３の手段では、前記本体フレームは、左右方向に伸びる支持フレームと、前記支持フレームの両端にヒンジ部材によって支持されるアーム部とを備え、前記凹部は前記支持フレームの中央下部位置に形成されているようにした。
第４の手段では、前記支持フレームはプラスチック成形品であるようにした。
第５の手段では、前記レンズフレームは左右のレンズがそれぞれ収容されるレンズ包囲部を中央のブリッジ部が接続する形状とされ、前記突起部は前記ブリッジ部の上部位置に形成されているようにした。
第６の手段では、前記突起部は前記レンズ包囲部の上端を結ぶ線分上から上方には突出しないようにした。
第７の手段では、前記突起部は前後に配置された２枚の板体から構成されており、前記凹部への嵌挿動作において前記２枚の板体は前記凹部の内側壁面に接して互いに接近する方向に撓むようにした。
第８の手段では、前記凹部は前記支持フレームの長手方向に沿った溝状に形成されるようにした。
第９の手段では、前記凹部の左右位置には前記凹部と接続された補助溝が形成されるようにした。
第１０の手段では、前記突起部は前記凹部に嵌挿された際に、前記突起部の外側面と前記凹部の内側面のいずれか一方に形成された凸部と、いずれか他方に形成された小凹部とが嵌合されてロックされるようにした。
第１１の手段では、前記レンズフレームに装着されるレンズはルーペ用レンズであるようにした。
【０００６】
このような構成とすれば、突起部を凹部に嵌挿するだけでレンズフレームを簡単に本体フレームに吊り下げ支持でき、また突起部を凹部から抜けばレンズフレームを取り外すことができる。材質はプラスチックが突起部や凹部を形成しやすいためよい。
レンズフレームやを本体フレームはプラスチック成形品とすることが、凹部や突起部を形成するためによい。
また、レンズフレームは左右のレンズがそれぞれ収容されるレンズ包囲部を中央のブリッジ部が接続する形状とされ、突起部はブリッジ部の上部位置に形成されることがよい。このような構成であると、突起部はちょうどレンズフレームの左右の中間位置に配置されることになって、吊り下げ時におけるバランスがよい。
突起部は前記レンズ包囲部の上端を結ぶ線分上から上方には突出しないことがよい。それによって突起部が外方に大きく突出することがなくなるため、突起部に不具合が生じにくくなる。
また、突起部は前後に配置された２列の板体から構成されることがよく、凹部への嵌挿動作において２列の板体は凹部の内側壁面に接して互いに接近する方向に撓むことがよい。突起部が一枚の板体だけでは撓み性が小さく無理嵌めしにくくなるためである。
また、凹部は支持フレームの長手方向に沿った溝状に形成されることがよい。溝状に形成することで、板状に形成した突起部が収まりやすく、板状の突起部であると溝状に形成された凹部との接触面積も多くなって支持しやすくなるからである。
凹部の左右位置には凹部と接続された補助溝が形成されることがよい。外力でレンズフレームが撓んだりした場合でも補助溝によって支えられてレンズフレームは本体フレームに保持されて脱落したり壊れたりしにくくなるからである。
また、突起部が凹部に嵌挿された際に、突起部の外側面と凹部の内側面のいずれか一方に形成された凸部と、いずれか他方に形成された小凹部とが嵌合されてロックされることがよい。これによって嵌挿した突起部が凹部から抜け落ちにくくなる。
また、レンズはルーペ用レンズであることがよい。ルーペ用レンズ以外であってもよい。例えば、通常のＳ度数やＣ度数の付加された視力矯正用のレンズであったり、カラーレンズであってもよい。
【考案の効果】
【０００７】
本考案によれば、レンズ種類の異なるレンズフレームから１つを選択して簡単に本体フレームに吊り下げ支持させることができ、１つの本体フレームで異なるレンズを使用する動作を容易に行うことができる。
【図面の簡単な説明】
【０００８】
【図１】本考案の実施の形態のレンズ交換式眼鏡の本体フレームの斜視図。
【図２】同じ実施の形態のレンズ交換式眼鏡の本体フレームの側面図。
【図３】同じ実施の形態のレンズ交換式眼鏡の本体フレームの正面図。
【図４】同じ実施の形態のレンズ交換式眼鏡の本体フレームの底面図。
【図５】図３のＡ−Ａ線における端面に対するレンズフレームの突起部周辺の嵌挿状態を説明する説明図であって、（ａ）は嵌挿前後、（ｂ）は嵌挿状態である。
【図６】図４のＢ−Ｂ線における断面に対するレンズフレームの突起部周辺の嵌挿状態を説明する説明図であって、（ａ）は嵌挿前、（ｂ）は嵌挿状態である。
【図７】同じ実施の形態のレンズ交換式眼鏡の本体フレームの支持フレームの中央下面位置付近の拡大斜視図。
【図８】同じ実施の形態のレンズ交換式眼鏡のレンズフレームの突起部周辺の拡大斜視図。
【図９】同じ実施の形態のレンズ交換式眼鏡の本体フレームに対してレンズフレームを装着する直前の状態を説明する説明図。
【図１０】同じ実施の形態のレンズ交換式眼鏡の本体フレームに対してレンズフレームを装着した状態を説明する説明図。
【考案を実施するための形態】
【０００９】
以下、本考案のレンズ交換式眼鏡について具体化した実施の形態を図面に基づいて説明する。
図１〜図４は本実施の形態のレンズ交換式眼鏡の本体フレーム１である。本体フレーム１は後述するレンズフレーム２を吊り下げ支持することでレンズ交換式眼鏡を構成する。まず、本体フレーム１を説明する。
本体フレーム１は支持フレーム３と、支持フレーム３の両端に図示しないヒンジ部材によって支持されるアーム４とから構成されている。
プラスチック製の支持フレーム３は一体成形品であり、左右方向において鏡像対称となる形状で構成されている。支持フレーム３にはその中央寄りに中央側ほど下方に膨らんだ膨出部３ａが構成されている。膨出部３ａは正面視においても中央寄りほど厚肉状に構成されている。支持フレーム３の中央下面位置（つまり膨出部３ａの下部位置）にはレンズフレーム２を取り付けるための取り付け部５が形成されている。取り付け部５は支持フレーム３中央に配置された凹部６と、凹部６の左右方向に配置された補助溝７から構成されている。図４、図６（ａ）及び図７に示すように、取り付け部５において凹部６は横方向における（図４のＢ−Ｂ線における）断面視において台形形状に凹設された奥側が狭い溝形状とされている。凹部６を構成する壁面の背面側には後方に連通する水平に配置された小凹部としての２つの小透孔８が形成されている。補助溝７は凹部６の左右位置において凹部６と同幅で凹部６よりも浅く支持フレーム３の長手方向に伸びるように形成されている。取り付け部５を構成する凹部６と補助溝７の溝の全長の形状としては図４に示すように中央位置で浅くＶ字状に屈曲されている。
【００１０】
次に、レンズフレーム２について説明する。図９及び図１０に示すように、プラスチック製のレンズフレーム２は左右のリム１１と、リム１１を連結するブリッジ部１２が一体成形よって形成されている。リム１１で包囲される内側にはルーペ用のレンズ１３が装着されている。レンズフレーム２はブリッジ部１２中央位置において左右方向が鏡像対称となる形状で構成されている。レンズフレーム２の厚みは支持フレーム３より薄く、本実施の形態では取り付け部５の溝幅と一致する。
図８に示すように、ブリッジ部１２の上部位置には突起部１４が形成されている。突起部１４は前後に配置された２列の板体１５Ａ、１５Ｂから構成されている。レンズフレーム２の前面側に配置された板体１５Ａは、凹部６の台形形状に対応した同じ台形形状に構成され、かつ凹部６の支持フレーム前面側の内壁面形状に対応して浅くＶ字状に屈曲されている。レンズフレーム２の前面側に配置された板体１５Ｂは二枚の小片に分割されている。左右に分割された板体１５Ｂは支持フレーム背面側の内壁面形状に対応して浅くＶ字状になるように角度をもって配置されている。板体１５Ａ、１５Ｂは外形形状は凹部６の内面形状に一致する。突起部１４（板体１５Ａ、１５Ｂ）は図９に示すように左右のリム１１の上端を結んだ線分（直線Ｐ）よりも上方には突出しない。突起部１４の厚み（板体１５Ａ、１５Ｂの外面間の間隔）はレンズフレーム２の厚みと一致する。
板体１５Ｂの外面には前記小透孔８に嵌合される凸部としての小突起１６が形成されている。リム１１の内側であってブリッジ部１２の下方位置には図示しない箱足を介して鼻パッド１７が装着されている。
【００１１】
以上のような構成において、本体フレーム１にレンズフレーム２を装着する動作について説明する。
図５（ａ）、図６（ａ）及び図９に示すように、本体フレーム１の下方にレンズフレーム２を配置する。つまり、レンズフレーム２の前面側がちょうどレンズフレーム２の前面側となり、突起部１４の板体１５Ａ、１５Ｂの面方向が凹部６の溝の長手方向となるように配置する。そして、凹部６に対して突起部１４（つまり板体１５Ａ、１５Ｂ）を凹部６に無理嵌め状に嵌挿していく。突起部１４の２列の板体１５Ａ、１５Ｂにおいては左右に分割された後方側の板体１５Ｂは前方側の板体１５Ａよりも相対的に撓みやすい。板体１５Ａ、１５Ｂは凹部６の内部壁面によって主として面方向で内方に撓まされて進入する。また、操作において小突起１６が凹部６内に至ると更に後方側の板体１５Ｂは撓む。小突起１６が小透孔８位置に達し、小透孔８内に落ち込むことで後方側の板体１５Ｂは内方に撓まされた付勢力によって外方に復帰し、突起部１４はその状体で位置決めされ、かつ抜け落ちないようにロック状態となる（図５（ｂ）及び図６（ｂ）の状態）。このような装着完了状態では、突起部１４の周囲のリム１１のうち突起部１４にごく近い部分はわずかに補助溝７内に進出して補助溝７の内部壁面に干渉する位置に配置される。装着完了状態ではリム１１は突起部１４から離間した位置では徐徐に支持フレーム３から離間する。
レンズフレーム２を交換のために取り外す際には、ユーザーはブリッジ部１２付近を掴んでレンズフレーム２を強く引くことで再び突起部１４を撓ませて凹部６から脱落させるようにする。
【００１２】
このような実施の形態のレンズ交換式眼鏡では次のような効果が奏される。
（１）レンズの種類が異なる複数のレンズフレーム２から１つを選択的に本体フレーム１にワンタッチで簡単に吊り下げ支持させることができ、１つの本体フレーム１だけで異なるレンズを装着して使用するということを容易に行うことができる。
（２）突起部１４は２列の板体１５Ａ、１５Ｂでかつ、一方は撓みやすいように分割されているため凹部６に嵌挿しやすい。
（３）突起部１４を凹部６に嵌挿すると、嵌挿に伴って小突起１６が小透孔８に嵌合されて突起部１４が位置決めされることとなるため、ユーザーが自分で本体フレーム１に対するレンズフレーム２の最適な装着位置を探す必要がない。
（４）レンズフレーム２の上方に突起部１４がはみ出ないので、使用時に突起部１４が折れたり傷ついたりする可能性が少ない。
（５）本体フレーム１にレンズフレーム２を装着した状態で、例えばレンズフレーム２に外力がかかった場合にレンズフレーム２のリム１１は補助溝７の壁面に干渉するため、外力によってリム１１が変形しにくく、またレンズフレーム２が本体フレーム１から抜け落ちにくくなる。
【００１３】
本考案は、例えば次のように変更した態様で具体化することも可能である。
・上記では突起部１４は１つだけで、ブリッジ部１２というレンズフレーム２の中央位置に形成されていた。確かに突起部１４が１つだけであればこの位置がよいが、他の位置であってもよい。例えば突起部１４が２つの場合にはレンズフレーム２の左右の鏡像対称となる位置に形成することがよい。
・突起部１４や凹部６の形状は上記は一例であり他の構成で実施するようにしてもよい。
・上記実施の形態ではレンズフレーム２はプラスチック製でリム１１とブリッジ部１２が一体成形されいたが、リム１１とブリッジ部１２が別体であってもよい。例えばリムが金属製であってもよい。
・小突起１６や小透孔８の形状や位置や個数は上記は一例であって、変更は自由である    
【符号の説明】
【００１４】
１…本体フレーム、２…レンズフレーム、４…凹部、１４…突起部。
【図１】
0003216991.tif 000003
【図２】
0003216991.tif 000004
【図３】
0003216991.tif 000005
【図４】
0003216991.tif 000006
【図５】
0003216991.tif 000007
【図６】
0003216991.tif 000008
【図７】
0003216991.tif 000009
【図８】
0003216991.tif 000010
【図９】
0003216991.tif 000011
【図１０】
0003216991.tif 000012